(57)【要約】【課題】解体作業性を悪くすることなく、不織布帯等の緩衝帯によるリサイクル材料の純度低下を防ぐことができる表示装置を提供する。【解決手段】前側に表示面を有する表示部の周縁部を取り囲む合成樹脂製のキャビネット２の内面に複数の凹部２１を設け、キャビネット２と同系の合成樹脂により不織布帯３を形成し、該不織布帯３を凹部２１内に溶着することにより、解体作業時、不織布帯３を剥ぎ取ることにより、不織布帯３だけをリサイクル材料にすることができるようにした。【選択図】図４
2008083561.tif 000002
【特許請求の範囲】
【請求項１】
前側に表示面を有する表示部と、該表示部の周縁部を取り囲む合成樹脂製のキャビネットと、該キャビネットの内面に取付けられ、前記表示部の前側の面に接触する緩衝帯とを備える表示装置において、前記緩衝帯は前記キャビネットに溶着してあることを特徴とする表示装置。
【請求項２】
前記緩衝帯は前記キャビネットと同系の合成樹脂により形成してある請求項１記載の表示装置。
【請求項３】
前記緩衝帯は長手方向の両端部が溶着されている請求項１又は２記載の表示装置。
【請求項４】
前記キャビネットの内面は複数の凹部を有し、前記緩衝帯は前記凹部に溶着してある請求項１乃至３のいずれか一つに記載の表示装置。
【請求項５】
前側に表示面を有する表示部と、該表示部の周縁部を取り囲む合成樹脂製のキャビネットと、該キャビネットの内面に取付けられ、前記表示部の前側の面に接触する緩衝帯とを備える表示装置において、前記キャビネットの内面は複数の凹部及び該凹部内で突出する突起を有し、該突起に対応する孔を前記緩衝帯に開設してあり、前記突起が溶融して前記緩衝帯を取付けてあることを特徴とする表示装置。
【発明の詳細な説明】
【技術分野】
【０００１】
本発明は液晶表示装置、プラズマ表示装置、ＳＥＤディスプレイ、ＥＬディスプレイ等の表示装置に関する。
【背景技術】
【０００２】
テレビ等の表示装置は、画像を表示する表示面を前側に有する表示部と、該表示部の周縁部に被嵌して該周縁部を取り囲む合成樹脂製のキャビネットと、該キャビネットの内面に貼着され、前記表示部の前側の面に接触する不織布帯と、前記表示部の後側を覆うカバー体とを備え、不織布帯を表示部の前側の面に接触させてキャビネット及びカバー体の周縁部がボルトにより表示部に取付けられ、キャビネットが表示部を押圧する力を不織布帯で緩和するように構成されている（例えば特許文献１参照）。図８は従来の表示装置の不織布帯部分の断面図である。不織布帯１００は両面テープ１０１の一面が接合され、該両面テープ１０１の他面がキャビネット１０２の内面に貼着されている。
【特許文献１】特開２００４−１５１３０５号公報
【発明の開示】
【発明が解決しようとする課題】
【０００３】
ところが、従来のように両面テープ１０１により不織布帯１００が貼着されている表示装置にあっては、不織布帯１００と別個に両面テープ１０１が必要であるため、部品点数が増加し、コスト高になる。また、リサイクルのために表示装置が解体されるとき、不織布帯１００が両面テープ１０１に接合されている状態でキャビネット１０２から剥ぎ取られるため、不織布帯１００と異なる材料により形成されている両面テープ１０１が不織布帯１００とともにリサイクル材料となり、不織布帯１００によるリサイクル材料の純度が低くなり、また、両面テープ１０１が余分に必要であるため、表示装置のコストが高くなる。
【０００４】
また、表示装置が解体されるとき、両面テープ１０１を不織布帯１００から剥ぎ取ることが考えられる。しかし、余分に剥ぎ取り作業が必要であるため、解体作業性が悪くなるという別の問題がある。
【０００５】
本発明は斯かる事情に鑑みてなされたものであり、主たる目的は緩衝帯を合成樹脂製のキャビネットに溶着することにより、解体作業性を悪くすることなく、不織布帯等の緩衝帯によるリサイクル材料の純度低下を防ぐことができる表示装置を提供することにある。
【０００６】
また、他の目的は緩衝帯をキャビネットと同系の合成樹脂で形成することにより、緩衝帯に取付強度を高めることができる表示装置を提供することにある。
【０００７】
また、他の目的は緩衝帯の長手方向の両端部を溶着することにより、緩衝帯にシワを生じさせることなく溶着箇所を少なくすることができる表示装置を提供することにある。
【０００８】
また、他の目的はキャビネットの内面に複数の凹部を設け、該凹部に緩衝帯を溶着することにより、溶着部分が表示面に接触するのを防ぐことができ、緩衝帯の緩衝性を高めることができる表示装置を提供することにある。
【０００９】
また、他の目的はキャビネットの表示面と対向する内面に複数の凹部及び該凹部内で突出する突起を設け、該突起に対応する孔を緩衝帯に開設し、突起を溶融することにより緩衝帯を取付ける構成とすることにより、緩衝帯の取付作業性を向上できるとともに、解体作業性を高めることができる表示装置を提供することにある。
【課題を解決するための手段】
【００１０】
本発明に係る表示装置は、前側に表示面を有する表示部と、該表示部の周縁部を取り囲む合成樹脂製のキャビネットと、該キャビネットの内面に取付けられ、前記表示部の前側の面に接触する緩衝帯とを備える表示装置において、前記緩衝帯は前記キャビネットに溶着してあることを特徴とする。
【００１１】
この発明にあっては、緩衝帯がキャビネットに直接溶着されているため、部品点数を削減でき、コストの低減を図ることができる。また、リサイクルのために解体されるとき、緩衝帯を剥ぎ取ることにより、緩衝帯だけに分別することができ、解体作業性を高めることができる。
【００１２】
また、本発明に係る表示装置は、前記緩衝帯は前記キャビネットと同系の合成樹脂により形成してあることを特徴とする。尚、本願発明において、キャビネットと同系の合成樹脂とは、同系の合成樹脂を含有する合成樹脂を含むものである。
【００１３】
この発明にあっては、緩衝帯の、キャビネットと同系の合成樹脂を溶融させて緩衝帯を溶着することができるため、緩衝帯の取付強度を高めることができる。
【００１４】
また、本発明に係る表示装置は、前記緩衝帯は長手方向の両端部が溶着されていることを特徴とする。
【００１５】
この発明にあっては、緩衝帯を長手方向に延ばして溶着することができるため、緩衝帯にシワを生じさせることなく溶着箇所を少なくすることができ、組付け作業性及び解体作業性を向上できる。
【００１６】
また、本発明に係る表示装置は、前記キャビネットの内面は複数の凹部を有し、前記緩衝帯は前記凹部に溶着してあることを特徴とする。
【００１７】
この発明にあっては、緩衝帯の溶着部分を凹部内に位置させることができ、溶着部分が表示面に接触するのを防ぐことができるため、緩衝帯の緩衝性を高めることができる。
【００１８】
また、本発明に係る表示装置は、前側に表示面を有する表示部と、該表示部の周縁部を取り囲む合成樹脂製のキャビネットと、該キャビネットの内面に取付けられ、前記表示部の前側の面に接触する緩衝帯とを備える表示装置において、前記キャビネットの内面は複数の凹部及び該凹部内で突出する突起を有し、該突起に対応する孔を前記緩衝帯に開設してあり、前記突起が溶融して前記緩衝帯を取付けてあることを特徴とする。
【００１９】
この発明にあっては、突起により緩衝帯の取付位置を決めることができるため、緩衝帯を適正位置に容易に配置でき、しかも、孔が突起に嵌められている状態で突起の先端部を溶融することにより緩衝帯を取付けることができるため、緩衝帯の取付作業性を向上でき、コストの低減を図ることができる。また、リサイクルのために解体されるとき、緩衝帯を剥ぎ取ることにより、緩衝帯だけに分別することができ、解体作業性を高めることができる。
【発明の効果】
【００２０】
以上詳述したように本発明によれば、緩衝帯がキャビネットに直接溶着されているため、部品点数を削減でき、しかも、緩衝帯を剥ぎ取ることにより、緩衝帯だけに分別することができ、解体作業性を高めることができる。
【００２１】
また、本発明によれば、キャビネットと同系の合成樹脂を溶融させて緩衝帯を溶着することができるため、緩衝帯の取付強度を高めることができる。
【００２２】
また、本発明によれば、緩衝帯にシワを生じさせることなく溶着箇所を少なくすることができ、組付作業性及び解体作業性を向上できる。
【００２３】
また、本発明によれば、緩衝帯の溶着部分が表示面に接触するのを防ぐことができ、緩衝帯の緩衝性を高めることができる。
【００２４】
また、本発明によれば、突起により緩衝帯を適正位置に容易に配置でき、しかも、突起の先端部を溶融することにより緩衝帯を取付けることができ、緩衝帯の取付作業性を向上できる。また、緩衝帯を剥ぎ取ることにより、緩衝帯だけに分別することができ、解体作業性を高めることができる。
【発明を実施するための最良の形態】
【００２５】
以下本発明をその実施の形態を示す図面に基づいて詳述する。
実施の形態１
図１は本発明に係る表示装置の構成を示す模式的分解斜視図、図２は一部を拡大した断面図、図３はキャビネットの構成を示す後面図、図４は緩衝帯が取付けられているキャビネットの構成を示す後面図、図５は要部の拡大断面図である。
【００２６】
図示した表示装置はテレビ画像を表示する表示面を前側に有し、略直方体をなす表示部１と、該表示部１の周縁部に被嵌して該周縁部を取り囲み、環状の矩形をなすキャビネット２と、該キャビネット２の内面に溶着され、表示部１の前側の面に接触する不織布帯３と、表示部１の後側を覆うカバー体４と、表示部１を起立状態で支持するスタンド５とを備える液晶テレビ、換言すれば液晶表示装置である。
【００２７】
表示部１は、前側に表示面１１ａを有し略直方体をなすパネル１１と、該パネル１１の周縁部を前後で挾着保持した略四角形をなす二つの保持枠体１２，１３と、パネル１１の後側に配置された拡散板等の光学シート１４と、該光学シート１４の後側に配置され複数のランプ及び反射板１５を有するバックライト部１６と、該バックライト部１６の後側に配置された回路基板及び電源基板等の電気部品１７とを備える。
【００２８】
バックライト部１６は、箱形をなすシャーシ１６ａと、光学シート１４の周縁部をシャーシ１６ａの開口部に押付けて取付ける取付枠体１６ｂとを備え、保持枠体１２，１３をシャーシ１６ａの周縁部に取付けることにより取付枠体１６ｂを保持枠体１２及びシャーシ１６ａの間に挾着してある。
【００２９】
キャビネット２は、前側の保持枠体１３の前面を覆い、上部及び下部が長辺の矩形をなす環板部２ａと、該環板部２ａの外縁部に連なり、保持枠体１３の周縁部を覆う角筒部２ｂとを有し、ポリカーボネート、ＡＢＳ、ＰＳ等を主成分とする合成樹脂により一体に成形されている。環板部２ａの内面（後面）で、不織布帯３が取付けられる面には、周方向へ離隔した複数箇所に前方へ窪む凹部２１が設けられている。
【００３０】
凹部２１は、環板部２ａの上部、下部、両側部の夫々中央部、及び長手方向両端部に設けられている。中央部の凹部２１は、キャビネット成形型のゲートにより形成されおり、両端部の凹部２１はキャビネット成形型のキャビティに突設された成形用凸部により形成されている。また、凹部２１は不織布帯３の厚さよりも深く形成されている。また、環板部２ａには周方向へ離隔した複数箇所に第１の筒形ボス２２が一体に成形されており、角筒部２ｂには周方向へ離隔した複数箇所に第２の筒形ボス２３が一体に成形されている。
【００３１】
緩衝帯としての不織布帯３はキャビネットと同系の合成樹脂により帯状に形成されており、両端部及び中央部の３箇所が超音波溶着、又は、高周波溶着により凹部２１内に溶着されており、非溶着部が前側の保持枠体１３の前面、換言すると表示部の前側の面に接触するように構成されている。
【００３２】
カバー体４は電気部品１７等を覆う皿形覆部４ａと、該皿形覆部４ａの周縁に連なる角筒部４ｂとを有し、合成樹脂により一体に成形されている。また、皿形覆部４ａの周縁部には第２の筒形ボス２３に対応する挿通孔が開設されており、該挿通孔に挿通するボルトを第２の筒形ボス２３に螺着することによりカバー体４をキャビネット２に結合するように構成されている。
【００３３】
スタンド５は載置台等に載置されるベース部５ａ及び該ベース部５ａに立設された二つの脚部５ｂ，５ｂを有しており、脚部５ｂ，５ｂの上部が表示部１の後側のシャーシ１６ａに取外しを可能に取着されている。
【００３４】
以上のように構成された表示装置は、内面が上向となるように作業台に載置されたキャビネット２の環板部２ａの上部、下部、両側部に不織布帯３が配置され、各不織布帯３の両端部、及び中央部を凹部２１内に溶着することにより、不織布帯３を取付けることができる。
【００３５】
また、表示装置を組立てる場合、表示部１の後側に取着されたスタンド５により、表示部１の起立状態が維持され、この表示部１の起立状態でキャビネット２を表示部１の前側周縁部に嵌込み、バックライト部１６のシャーシ１６ａの周縁部に開設された貫通孔にボルトを挿通し、該ボルトをキャビネット２の第１の筒形ボス２２内に螺着することによりキャビネット２を表示部１に取付ける。このとき、不織布帯３が前側の保持枠体１３の前面、換言すると表示部１の周縁部前面に接触し、キャビネット２が表示部１のパネル１１を押圧する力を不織布帯３で緩和する。また、キャビネット２を取付けた後、カバー体４をバックライト部１６の後側に嵌込み、カバー体４の皿形覆部４ａの周縁部に開設された挿通孔に図示しないボルトを挿通し、該ボルトを第２の筒形ボス２３内に螺着することによりカバー体４をキャビネット２に取外し可能に取付ける。
【００３６】
リサイクルのために表示装置が解体される場合、カバー体４及びキャビネット２が取外された後、キャビネット２の環板部２ａから不織布帯３を剥ぎ取ることにより、不織布帯３だけをリサイクル材料にすることができる。
【００３７】
実施の形態２
図６は本発明に係る表示装置の他の構成を示す要部の拡大断面図、図７はキャビネットの一部を拡大した斜視図である。この表示装置は、キャビネット２の環板部２ａに設ける複数の凹部２１内に突起２４を一体に成形し、該突起２４に対応する貫通孔３１を不織布帯３に開設し、突起２４の先端部を溶融することにより不織布帯３をキャビネット２に取付けるように構成したものである。
【００３８】
この表示装置にあっては、不織布帯３を環板部２ａに載置するとき、突起２４を位置決め部材とすることができ、しかも、貫通孔３１を突起２４に嵌めた状態で突起２４を溶融することにより不織布帯３を取付けることができるため、換言すると不織布帯３を溶着しないため、不織布帯３を適正位置に迅速に、且つ確実に取付けることができ、また、解体作業時に不織布帯３を容易に剥ぎ取ることができる。
【００３９】
尚、以上説明した実施の形態では緩衝帯として不織布の帯体を用いたが、その他、ゴム板等の可撓性を有する帯体であってもよい。
【００４０】
また、本発明に係る表示装置は液晶テレビ等の液晶表示装置である他、プラズマ表示装置、ＥＬディスプレイ等の表示装置であってもよい。
【図面の簡単な説明】
【００４１】
【図１】本発明に係る表示装置の構成を示す模式的分解斜視図である。
【図２】本発明に係る表示装置の一部を拡大した断面図である。
【図３】本発明に係る表示装置のキャビネットの構成を示す後面図である。
【図４】緩衝帯が取付けられているキャビネットの構成を示す後面図である。
【図５】本発明に係る表示装置の要部の拡大断面図である。
【図６】本発明に係る表示装置の他の構成を示す要部の拡大断面図である。
【図７】キャビネットの一部を拡大した斜視図である。
【図８】従来の表示装置の不織布帯部分の断面図である。
【符号の説明】
【００４２】
１    表示部
１１ａ  表示面
２    キャビネット
２１  凹部
２４  突起
３    不織布帯（緩衝帯）
３１  貫通孔（孔）
【図１】
2008083561.tif 000003
【図２】
2008083561.tif 000004
【図３】
2008083561.tif 000005
【図４】
2008083561.tif 000006
【図５】
2008083561.tif 000007
【図６】
2008083561.tif 000008
【図７】
2008083561.tif 000009
【図８】
2008083561.tif 000010